(57)【要約】【課題】高い変倍比と少ないレンズ枚数を維持しつつ、高画質なＦナンバー２．０以下の大口径ズームレンズを提供すること。【解決手段】物体側より像側へ順に、負の屈折力の第１レンズ群と、正の屈折力の第２レンズ群と、第３レンズ群からなるズームレンズであって、広角端における全系の焦点距離をｆｗ、望遠端における全系の焦点距離をｆｔ、中間焦点距離ｆｍ＝√（ｆｗ×ｆｔ）におけるバックフォーカスをｂｆｍ、広角端におけるバックフォーカスをｂｆｗ、第２レンズ群の広角端における結像倍率をβ２ｗ、第２レンズ群の望遠端における結像倍率をβ２ｔ、第３レンズ群の広角端における結像倍率をβ３ｗ、第３レンズ群の望遠端における結像倍率をβ３ｔとするとき、０．１５＜（ｂｆｗ-ｂｆｍ）／ｂｆｗ＜０．９０３．４＜（β２ｔ×β３ｗ）／（β２ｗ×β３ｔ）＜６．０なる条件を満足することを特徴とする構成とした。【選択図】  図１
2014041221.tif 000002
【特許請求の範囲】
【請求項１】
物体側より像側へ順に、負の屈折力の第１レンズ群と、正の屈折力の第２レンズ群と、正の屈折力の第３レンズ群からなるズームレンズであって、
広角端における全系の焦点距離をｆｗ、望遠端における全系の焦点距離をｆｔ、中間焦点距離ｆｍ＝√（ｆｗ×ｆｔ）におけるバックフォーカスをｂｆｍ、広角端におけるバックフォーカスをｂｆｗ、第２レンズ群の広角端における結像倍率をβ２ｗ、第２レンズ群の望遠端における結像倍率をβ２ｔ、第３レンズ群の広角端における結像倍率をβ３ｗ、第３レンズ群の望遠端における結像倍率をβ３ｔとするとき、
０．１５＜（ｂｆｗ-ｂｆｍ）／ｂｆｗ＜０．９０
３．４＜（β２ｔ×β３ｗ）／（β２ｗ×β３ｔ）＜６．０
なる条件を満足することを特徴とするズームレンズ。
【請求項２】
望遠端におけるバックフォーカスをｂｆｔとするとき、
０．１５＜（ｂｆｔ-ｂｆｍ）／ｂｆｗ＜０．９０
なる条件を満足することを特徴とする請求項１に記載のズームレンズ。
【請求項３】
前記第３レンズ群の最も物体側のレンズ面と、最も像側のレンズ面の曲率半径を各々Ｒ３ｆ、Ｒ３ｒとするとき、
−１．５＜（Ｒ３ｆ＋Ｒ３ｒ）／（Ｒ３ｆ-Ｒ３ｒ）＜−０．５
なる条件を満足することを特徴とする請求項１又は請求項２に記載のズームレンズ。
【請求項４】
前記第１レンズ群の焦点距離をｆ１、前期第２レンズ群の焦点距離をｆ２とするとき、
−１．５＜ｆ２／ｆ１＜−０．５
なる条件を満足することを特徴とする請求項１乃至請求項３の何れか１項に記載のズームレンズ。
【請求項５】
前記第１レンズ群の最も物体側の面での、広角端における軸上光線の光軸からの高さをＨｍ、前記第１レンズ群の最も物体側のレンズ面から像面までのレンズ全長をＬｗとするとき、
１０．０＜Ｌｗ／Ｈｍ＜３２．０
なる条件を満足することを特徴とする請求項１乃至請求項４の何れか１項に記載のズームレンズ。
【請求項６】
前記第３レンズ群により近距離へのフォーカシングを行うことを特徴とする請求項１乃至請求項５の何れか１項に記載のズームレンズ。
【請求項７】
前記第１レンズ群は、ズーミングに際して像側へ凸形状の軌跡に沿って移動することを特徴とする請求項１乃至請求項６の何れか１項に記載のズームレンズ。
【請求項８】
前記第３レンズ群は、ズーミングに際して像側へ凸形状の軌跡に沿って移動することを特徴とする請求項１乃至請求項７の何れか１項に記載のズームレンズ。
【請求項９】
前記第２レンズ群を、光軸に対して垂直方向の成分を持つように移動させて、光軸と垂直方向に結像位置を変移させることを特徴とする請求項１乃至請求項８の何れか１項に記載のズームレンズ。
【請求項１０】
固体撮像素子に像を形成することを特徴とする請求項１乃至請求項９の何れか１項に記載のズームレンズ。
【請求項１１】
請求項１乃至請求項１０の何れか１項に記載のズームレンズと、該ズームレンズによって形成される像を受光する固体撮像素子と、を有していることを特徴とする撮像装置。
【発明の詳細な説明】
【技術分野】
【０００１】
本発明は、ズームレンズに関し、特に、デジタルスチルカメラ等の撮影光学系に好適なズームレンズに関するものである。
【背景技術】
【０００２】
最近、固体撮像素子を用いたビデオカメラ、デジタルスチルカメラ等、撮像装置の高機能化にともない、高倍かつ小型でありながら大口径なズームレンズが求められている。
【０００３】
例えば、特許文献１では、負の屈折力の第１レンズ群と正の屈折力の第２レンズ群と正の屈折力の第３レンズ群の３つのレンズ群からなり、各群の間隔を変えてズーミングを行う３群ズームレンズ系が開示されている。
【０００４】
特許文献２では、比較的高い倍率を有しながら、大口径を実現した３群ズームレンズ系が開示されている。
【先行技術文献】
【特許文献】
【０００５】
【特許文献１】特開２００３−１５６６８６号公報
【特許文献２】特開平１１−０４２２１８号公報
【発明の概要】
【発明が解決しようとする課題】
【０００６】
しかしながら、特許文献１に開示された３群ズームレンズは、Ｆナンバーが約２．４で十分に大口径とは言えなかった。一方、特許文献２に開示された３群ズームレンズは、Ｆナンバーが約１．９と大口径だが、収差補正のためにレンズ枚数が多く、沈胴時の全長短縮が困難だった。
【０００７】
そこで、本発明の目的は、高い変倍比と少ないレンズ枚数を維持しつつ、高画質なＦナンバー２．０以下の大口径ズームレンズを提供することである。
【課題を解決するための手段】
【０００８】
本発明に係るズームレンズの構成は、
物体側より像側へ順に、負の屈折力の第１レンズ群と、正の屈折力の第２レンズ群と、正の屈折力の第３レンズ群からなるズームレンズであって、広角端における全系の焦点距離をｆｗ、望遠端における全系の焦点距離をｆｔ、中間焦点距離ｆｍ＝√（ｆｗ×ｆｔ）におけるバックフォーカスをｂｆｍ、広角端におけるバックフォーカスをｂｆｗ、第２レンズ群の広角端における結像倍率をβ２ｗ、第２レンズ群の望遠端における結像倍率をβ２ｔ、第３レンズ群の広角端における結像倍率をβ３ｗ、第３レンズ群の望遠端における結像倍率をβ３ｔとするとき、
０．１５＜（ｂｆｗ-ｂｆｍ）／ｂｆｗ＜０．９０
３．４＜（β２ｔ×β３ｗ）／（β２ｗ×β３ｔ）＜６．０
なる条件を満足することを特徴とする。
【発明の効果】
【０００９】
本発明によれば、高い変倍比と少ないレンズ枚数を維持しつつ、高画質なＦナンバー２．０以下の大口径ズームレンズを提供することができる。
【図面の簡単な説明】
【００１０】
【図１】実施例１のズームレンズの光学断面図および群の移動軌跡
【図２】実施例１のズームレンズの広角端での縦収差図
【図３】実施例１のズームレンズの望遠端での縦収差図
【図４】実施例１のズームレンズの中間焦点距離での横収差図
【図５】実施例２のズームレンズの光学断面図および群の移動軌跡
【図６】実施例２のズームレンズの広角端での縦収差図
【図７】実施例２のズームレンズの望遠端での縦収差図
【図８】実施例２のズームレンズの中間焦点距離での横収差図
【図９】実施例３のズームレンズの光学断面図および群の移動軌跡
【図１０】実施例３のズームレンズの広角端での縦収差図
【図１１】実施例３のズームレンズの望遠端での縦収差図
【図１２】実施例３のズームレンズの中間焦点距離での横収差図
【図１３】レンズ移動による効果の概念図
【発明を実施するための形態】
【００１１】
以下に、本発明の好ましい実施の形態を、添付の図面に基づいて詳細に説明する。
【００１２】
図１は、本発明の実施形態にかかわるズームレンズである。
【００１３】
本発明のズームレンズは、高倍率でありながらレンズ全長を短くするため、物体側から順に、負の屈折力の第１レンズ群と、正の屈折力の第２レンズ群と、正の屈折力の第３レンズ群からなる構成とし、各群の間隔を変化させて変倍を行う。
【００１４】
一般に、３群構成のズームレンズにおいて大口径化すると、軸上光線の高さが増大するため、主に第２レンズ群内の各レンズの有効径が大きくなってくる。レンズ有効径が大きくなると、レンズ周縁部を通過する光線のレンズへの入射角がきつくなり、高次収差が増加する。これにより、特に軸外光線の上線がオーバー方向へ悪化しやすい。広角端では第１レンズ群で軸外光線の高さが高いため軸外光線のみを独立に補正し易く、一方望遠端では画角が狭いことから、軸外光線の各レンズへの入射角が元々緩くなる傾向があり、高次収差の発生が比較的少ない。しかし、中間焦点距離域では、画角が比較的広く高次収差が発生し易い上に、第１レンズ群で軸外光線の高さが低いので独立に補正することも難しい。このため中間焦点距離域で上線オーバーによる像面オーバー傾向となり、解像度低下が起こりやすい。
【００１５】
本発明では、正の屈折力を持つ第３レンズ群を、中間焦点距離において像側に移動する構成としている。これにより、図１３に示すように、軸外光束上線の第３レンズ群内の凸面への入射角がきつくなり、正の屈折力が強くなるため、上線をアンダー方向へ押し下げる作用が得られる。これにより、上線オーバーを抑制し、中間焦点距離での像面オーバー傾向も抑えられる。
【００１６】
また、望遠端において、第３レンズ群を中間焦点距離での位置よりも物体側に戻すことで、望遠端における第３レンズ群のフォーカス敏感度を高くでき、軽量な第３レンズ群でのフォーカシングも可能である。
【００１７】
上記の形態を実現するために、本発明のズームレンズは、
物体側より像側へ順に、負の屈折力の第１レンズ群と、正の屈折力の第２レンズ群と、正の屈折力の第３レンズ群からなるズームレンズであって、広角端における全系の焦点距離をｆｗ、望遠端における全系の焦点距離をｆｔ、中間焦点距離ｆｍ＝√（ｆｗ×ｆｔ）におけるバックフォーカスをｂｆｍ、広角端におけるバックフォーカスをｂｆｗ、第２レンズ群の広角端における結像倍率をβ２ｗ、第２レンズ群の望遠端における結像倍率をβ２ｔ、第３レンズ群の広角端における結像倍率をβ３ｗ、第３レンズ群の望遠端における結像倍率をβ３ｔとするとき、
０．１５＜（ｂｆｗ-ｂｆｍ）／ｂｆｗ＜０．９０      …（１）
３．４＜（β２ｔ×β３ｗ）／（β２ｗ×β３ｔ）＜６．０      …（２）
なる条件を満足することを特徴とする。
【００１８】
条件式（１）は、広角端におけるバックフォーカスと、中間焦点距離におけるバックフォーカスの好ましい比率を定義するものである。条件式（１）の下限を下回ると、広角端から中間焦点距離での第３レンズ群の像側への移動量が少なすぎるため、軸外光束に対して十分な上線オーバー抑制効果が得られない。条件式（１）の上限を上回ると、中間焦点距離でのバックフォーカスが短くなりすぎるため、第３レンズ群が像面側のフィルタ等に接触してしまう。
【００１９】
条件式（２）は、第２レンズ群の変倍比と、第３レンズ群の変倍比の好ましい比率を定義するものである。条件式（２）の下限を下回ると、望遠端で第３レンズ群が像面に近づきすぎることで、第３レンズ群のフォーカス敏感度が低下して第３レンズ群によるフォーカシングが困難になったり、第２レンズ群の変倍比が低くなりすぎて、ズームレンズ全体の倍率を十分に得ることができなくなったりするので良くない。条件式（２）の上限を上回ると、第２レンズ群の焦点距離が短くなりすぎるため、第２レンズ群内の各面の曲率半径を小さくせざるを得ない。これにより、ズーム全域でコマ収差等を補正することが難しくなる。
【００２０】
さらに好ましくは、条件式（１）、（２）の範囲を、
０．１８＜（ｂｆｗ-ｂｆｍ）／ｂｆｗ＜０．５０      …（１ａ）
３．４＜（β２ｔ×β３ｗ）／（β２ｗ×β３ｔ）＜５．０      …（２ａ）
とするのが良い。
【００２１】
以上により、本発明の目的は達成される。
【００２２】
次に、各実施例のレンズ構成について説明する。
【００２３】
各実施例においては、負の屈折力の第１レンズ群Ｌ１を物体側から像側へ順に負レンズと物体側に凸面を向けたメニスカス形状の正レンズの２枚のレンズで構成している。また、第１レンズ群の負レンズは物体側の面と、像側の面ともに非球面形状としている。この構成により、最小の枚数で倍率色収差や、像面湾曲を良好に補正できる。
【００２４】
第２レンズ群Ｌ２は物体側から像側へ順に、物体側に凸面を向けた正レンズと、像面側に凹面を向けた負レンズとを接合した接合レンズと、正レンズとを有している。最も物体側に配置された正レンズを、非球面形状とすることにより球面収差とコマ収差を良好に補正している。この構成により、最小の枚数で球面収差やコマ収差を良好に補正できる。
【００２５】
第３レンズ群Ｌ３は、１枚の正レンズで構成しており、レンズ全系の薄型化を実現していると共に、各実施例では軽量な第３レンズ群を光軸方向に移動してフォーカシングを行っている。尚、各実施例数値は、無限遠の物体にフォーカシングした際のものである。
【００２６】
各群には、軸外光線の収差をより良好に抑制するため、さらに１枚以上の非球面レンズを追加しても良い。
【００２７】
ＳＰはＦナンバー決定絞りであり、開口面積が可変でも不変でも良い。
【００２８】
Ｇは光学フィルター、フェースプレート、水晶ローパスフィルター、赤外カットフィルター等に相当する光学ブロックである。
【００２９】
Ｉｍｇは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する感光面が置かれる。
【００３０】
以下、本発明のズームレンズの各実施例において更に好ましい要件について説明する。
【００３１】
好ましくは望遠端におけるバックフォーカスをｂｆｔとするとき、
０．１５＜（ｂｆｔ-ｂｆｍ）／ｂｆｗ＜０．９０      …（３）
なる条件を満足すると良い。
【００３２】
条件式（３）は、中間焦点距離におけるバックフォーカスと、望遠端におけるバックフォーカスの好ましい比率を定義するものである。条件式（３）の下限を下回ると、中間焦点距離から望遠端での第３レンズ群の物体側への移動量が少なすぎるため、望遠端において第３レンズ群が像面に近くなりすぎて、第３レンズ群のフォーカス敏感度が低くなる。これにより第３レンズ群でフォーカシングする場合のレンズ移動量が大きくなり、軽量な第３レンズ群でのリアフォーカス構成をとることが難しくなる。条件式（３）の上限を上回ると、望遠端において第３レンズ群が物体側に移動しすぎるため、ズーミング時の第３レンズ群の移動量が大きくなりすぎ、ｇ線の倍率色収差がアンダーになって良くない。
【００３３】
さらに好ましくは、条件式（３）の範囲を、
０．１８＜（ｂｆｔ-ｂｆｍ）／ｂｆｗ＜０．６５      …（３ａ）
とするのが良い。
【００３４】
好ましくは、前記第３レンズ群の最も物体側のレンズ面と、最も像側のレンズ面の曲率半径を各々Ｒ３ｆ、Ｒ３ｒとするとき、
−１．５＜（Ｒ３ｆ＋Ｒ３ｒ）／（Ｒ３ｆ-Ｒ３ｒ）＜−０．５      …（４）
とするのが良い
条件式（４）は、第３レンズ群の最も物体側の面と最も像側の面の、好ましい形状を規定するものである。条件式（４）を満たすことで、第３レンズ群の最も物体側の面の曲率半径が比較的小さくなり、第３レンズ群を像側に移動した際、レンズ周縁部を通過する光線のレンズへの入射角が大きく変化して、本件の目的としている軸外光線の補正効果をより強く得られる。
【００３５】
さらに好ましくは、条件式（４）の範囲を、
−１．２＜（Ｒ３ｆ＋Ｒ３ｒ）／（Ｒ３ｆ-Ｒ３ｒ）＜−０．８      …（４ａ）
とするのが良い。
【００３６】
好ましくは、前記第１レンズ群の焦点距離をｆ１、前期第２レンズ群の焦点距離をｆ２とするとき、
−１．５＜ｆ２／ｆ１＜−０．５      …（５）
とするのが良い
条件式（５）は、第２レンズ群の焦点距離と第１レンズ群の焦点距離の、好ましい比率を規定するものである。条件式（５）の下限を下回ると第２レンズ群の焦点距離が小さくなりすぎて２群内で発生するコマ収差等が悪化したり、１群の焦点距離が大きくなりすぎて広角化や高倍率化が難しくなるので良くない。条件式（５）の上限を上回ると、第２レンズ群の焦点距離が大きくなりすぎて十分な変倍比を得るために移動量が増加してしまう。また、１群の焦点距離が小さくなりすぎて像面湾曲等の補正が困難になるので良くない。
【００３７】
さらに好ましくは、条件式（５）の範囲を、
−１．１０＜ｆ２／ｆ１＜−０．９８      …（５ａ）
とするのが良い。
【００３８】
好ましくは、前記第１レンズ群の最も物体側の面での、広角端における軸上光線の光軸からの高さをＨｍ、前記第１レンズ群の最も物体側のレンズ面から像面までのレンズ全長をＬｗとするとき、
１０．０＜Ｌｗ／Ｈｍ＜３２．０      …（６）
とするのが良い
条件式（６）は、軸上光線の光軸からの高さと広角端におけるレンズ全長の、好ましい比率を規定するものである。条件式（６）の下限を下回ると、レンズ全長が短くなり過ぎて必要なレンズを配置できなくなったり、入射する軸上光線が多くなりすぎて、球面収差等の補正が困難になったりするので良くない。条件式（６）の上限を上回ると、レンズ全長が長くなり過ぎたり、軸上光線が少なすぎて十分な光量を得られず、結果として画像が露出アンダーになったりするので良くない。
【００３９】
さらに好ましくは、条件式（６）の範囲を、
２０．０＜Ｌｗ／Ｈｍ＜２７．５      …（６ａ）
とするのが良い。
【００４０】
好ましくは、前記第３レンズ群により近距離へのフォーカシングを行うと、フォーカシング機構を小型化できて良い。
【００４１】
好ましくは、前記第１レンズ群は、ズーミングに際して像側へ凸形状の軌跡に沿って移動すると、広角端と望遠端のレンズ全長を大きく変えないで良いため、高倍化してもレンズ全長を短くし易い。
【００４２】
好ましくは、前記第３レンズ群はズーミングに際して像側へ凸形状の軌跡に沿って移動すると、中間焦点距離での像面オーバー傾向を抑制できるので良い。
【００４３】
以上、本発明の好ましい実施形態について説明したが、本発明はこれらの実施形態に限定されず、その要旨の範囲内で種々の変形及び変更が可能である。
【００４４】
収差図において、ΔＭ，ΔＳはメリディオナル像面、サジタル像面、倍率色収差はｇ線によって表している。ωは半画角、ＦｎｏはＦナンバーである。
【００４５】
また、以下の各実施例において広角端と望遠端は、それぞれ最小の焦点距離における各群の配置と、最大の焦点距離における各群の配置をいう。
【００４６】
各実施例において、Ｒｉは物体側から順に、ｉ番目のレンズ面（ｉ面）の曲率半径、Ｄｉはｉ面と（ｉ＋１）面との間の間隔を示す。Ｎｉとνｉはそれぞれ、ｄ線を基準としたレンズエレメントの屈折率及びアッベ数を示す。
【００４７】
ＢＦは、レンズ最終面から近軸増面までの、空気換算長を示す。また、長さに関する値の単位は、特に記載がない場合には、ｍｍである。
【００４８】
レンズ面が非球面形状を有する場合は、曲率半径の後に＊を付加している。また、その形状は以下のように表す。光軸方向での位置をＸとし、光軸と直交する方向での位置をＨとし、光の進行方向を正とする。Ｒを近軸曲率半径とし、Ｋを円錐係数とし、Ａ，Ｂ，Ｃ，Ｄ，Ｅ，Ｆをそれぞれ非球面係数とする。このとき、
【００４９】
【数１】
2014041221.tif 000003
なる式で表す。なお、「Ｅ±Ｎ」は、「×１０±Ｎ」を示す。
【００５０】
また、各実施例における上述した条件式との対応を表１に示す。
【００５１】
［実施例１］
単位 mm
面データ
面番号       r        d      nd         vd
1*     -36440.797    1.40   1.84954    40.1           
2*         6.504    2.69                             
3*        13.227    1.74   1.94595    18.0           
4*        28.821  (可変)                             
5(絞り)    ∞       0.40                             
6*         7.803    2.63   1.74330    49.3           
7*      -476.479    0.20                             
8          7.720    2.08   1.51633    64.1           
9         79.808    0.60   1.80518    25.4           
10          4.773    3.11                             
11         14.815    1.45   1.72903    54.0           
12       1040.029    0.35                             
13          ∞     (可変)                             
14         14.873    2.00   1.48749    70.2           
15       -657.387  (可変)                             
16          ∞       1.00   1.51633    64.1           
17          ∞       0.50                             
像面        ∞   
非球面データ
第1面
K =-7.54512e+008  A 4=-1.63779e-004  A 6= 2.45740e-006  A 8=-1.60519e-008  A10= 4.79197e-011  A12=-1.00349e-012  A14= 1.18900e-014  
第2面
K =-2.35015e+000  A 4= 4.88980e-004  A 6=-6.90768e-006  A 8= 1.14049e-007  A10=-5.40591e-010  A12=-1.66314e-011  A14= 2.81915e-013  
第3面
K =-1.55828e-001  A 4=-9.19177e-005  A 6= 9.20477e-007  A 8= 2.59746e-008  A10= 1.12143e-010  A12= 2.81845e-014  
第4面
K =-2.99580e+000  A 4=-8.35929e-005  A 6= 6.85481e-007  A 8= 5.00106e-008  A10=-8.92196e-011  A12=-1.46303e-012  
第6面
K =-1.10288e-001  A 4=-1.30647e-004  A 6=-1.12431e-007  A 8=-2.13118e-009  A10=-2.73073e-009  A12= 1.00673e-010  
第7面
K = 6.77485e+002  A 4= 4.19634e-005  A 6= 4.53658e-007  A 8= 5.49508e-008  A10=-3.96533e-009  A12= 1.23722e-010  
各種データ
ズーム比      3.53 
広角     中間     望遠
焦点距離       6.18    11.62    21.84  
Fナンバー      1.85     2.92     4.87  
画角          33.39    21.72    11.96  
像高           4.07     4.63     4.63  
レンズ全長    44.78    42.15    49.71  
BF             4.60     3.73     4.69  
d 4           17.03     7.49     1.76  
d13            4.51    12.29    24.62  
d15            3.44     2.57     3.53  
ズームレンズ群データ
群  始面    焦点距離  
1    1     -12.61  
2    5      13.00  
3   14      29.86  
4   16       ∞    
［実施例２］
単位 mm
面データ
面番号       r        d      nd         vd
1*     -10214.000    1.40   1.84954    40.1           
2*         6.596    2.48                             
3         11.867    1.90   1.94595    18.0           
4         22.780  (可変)                             
5(絞り)    ∞       0.40                             
6*         7.867    2.44   1.74330    49.3           
7*       214.227    0.20                             
8          7.411    2.13   1.51633    64.1           
9         63.496    0.60   1.80518    25.4           
10          4.821    3.12                             
11         15.053    1.27   1.72000    50.2           
12       -142.709    0.35                             
13          ∞     (可変)                             
14         15.809    2.00   1.48749    70.2           
15       -392.357  (可変)                             
16          ∞       1.00   1.51633    64.1           
17          ∞       0.50                             
像面        ∞   
非球面データ
第1面
K =-7.54512e+008  A 4=-1.22020e-004  A 6= 2.68987e-006  A 8=-1.68883e-008  A10=-3.66679e-011  A12= 1.90155e-013  
第2面
K =-2.16023e+000  A 4= 5.23593e-004  A 6=-7.39054e-006  A 8= 2.64676e-007  A10=-3.00634e-009  A12=-5.13885e-012  
第6面
K =-2.27515e-001  A 4=-4.99198e-005  A 6= 4.57060e-007  A 8=-1.77124e-008  A10= 3.18167e-009  A12= 9.09424e-011  
第7面
K = 1.75567e+003  A 4= 6.25805e-005  A 6=-1.08755e-006  A 8= 1.92913e-007  A10=-2.03440e-009  A12= 6.86508e-011  
各種データ
ズーム比      3.57 
焦点距離       6.18    11.82    22.06 
Fナンバー      1.85     2.95     4.82 
画角          33.39    21.38    11.85 
像高           4.07     4.63     4.63 
レンズ全長    44.71    42.44    49.48 
BF             4.74     2.48     4.22 
d 4           17.03     7.86     1.81 
d13            4.66    13.81    25.16 
d15            3.58     1.32     3.06 
ズームレンズ群データ
群  始面    焦点距離  
1    1     -12.58  
2    5      12.97  
3   14      31.22  
4   16       ∞    
［実施例３］
単位 mm
面データ
面番号       r        d      nd         vd
1*     -18269.953    1.40   1.84954    40.1           
2*         6.572    2.63                             
3         12.205    1.90   1.94595    18.0           
4         23.900  (可変)                             
5(絞り)    ∞       0.40                             
6*         7.891    2.53   1.74330    49.3           
7*     -7208.564    0.20                             
8          7.614    2.08   1.51633    64.1           
9         66.773    0.60   1.80518    25.4           
10          4.878    3.34                             
11*        13.082    1.37   1.72903    54.0           
12*        97.028    0.35                             
13          ∞     (可変)                             
14         15.814    2.00   1.48749    70.2           
15       -389.408  (可変)                             
16          ∞       1.00   1.51633    64.1           
17          ∞       0.50                             
像面        ∞   
非球面データ
第1面
K =-7.54512e+008  A 4=-1.20558e-004  A 6= 2.58721e-006  A 8=-1.74608e-008  A10=-3.44159e-011  A12= 2.21099e-013  
第2面
K =-2.20089e+000  A 4= 5.40013e-004  A 6=-7.50127e-006  A 8= 2.50859e-007  A10=-3.14999e-009  A12=-1.11406e-012  
第6面
K =-1.58177e-001  A 4=-7.62268e-005  A 6= 6.05648e-007  A 8= 2.00021e-008  A10=-2.05644e-011  A12= 6.78844e-011  
第7面
K =-8.54977e+004  A 4= 8.43187e-005  A 6= 1.02155e-006  A 8= 1.40331e-007  A10=-4.26243e-009  A12= 9.55445e-011  
第11面
K = 1.33928e+000  A 4= 1.25785e-004  A 6= 2.13654e-007  A 8=-1.00957e-006  A10= 3.50066e-007  A12=-3.05955e-008  
第12面
K =-6.16286e+002  A 4= 3.17627e-004  A 6= 5.27720e-006  A 8=-9.40691e-007  A10= 1.90350e-007  A12=-1.75687e-008  
各種データ
ズーム比      3.41 
広角     中間     望遠
焦点距離       6.18    11.42    21.06  
Fナンバー      1.85     2.86     4.61  
画角          33.39    22.06    12.39  
像高           4.07     4.63     4.63  
レンズ全長    44.85    42.11    49.29  
BF             4.74     3.87     6.71  
d 4           17.03     7.64     1.48  
d13            4.29    11.79    22.30  
d15            3.58     2.71     5.55  
d17            0.50     0.50     0.50  
ズームレンズ群データ
群  始面    焦点距離  
1    1     -12.58  
2    5      12.97  
3   14      31.22  
4   16       ∞    
【００５２】
【表１】
2014041221.tif 000004
【符号の説明】
【００５３】
Ｌ１  第1レンズ群
Ｌ２  第2レンズ群
Ｌ３  第3レンズ群
ＳＰ  開口絞り
ＩＰ  像面
Ｇ    ガラスブロック
ｄ線    ｄ線
ｇ線    ｇ線
ΔＳ  サジタル像面
ΔＭ  メリディオナル像面
【図１】
2014041221.tif 000005
【図２】
2014041221.tif 000006
【図３】
2014041221.tif 000007
【図４】
2014041221.tif 000008
【図５】
2014041221.tif 000009
【図６】
2014041221.tif 000010
【図７】
2014041221.tif 000011
【図８】
2014041221.tif 000012
【図９】
2014041221.tif 000013
【図１０】
2014041221.tif 000014
【図１１】
2014041221.tif 000015
【図１２】
2014041221.tif 000016
【図１３】
2014041221.tif 000017